(57)【要約】【課題】その内部への雨水の浸入を防止することができる、屋外設置パワーコンディショナ装置を提供する。【解決手段】吸気口５と第１の排気口８とを有する筐体２と、筐体２内に設けられた電力変換部と、筐体２内に設けられて、吸気口５から取り入れられた気体を、電力変換部を介して第１の排気口６へ流れるように送風して電力変換部を冷却するファンと、筐体２に連結された排気路形成部材３とを備えている。また、排気路形成部材３は、第１の排気口６と連通して内部に排気路を形成すると共に、排気路内の気体を外部に排出する第２の排気口７を有している。排気路形成部材３の上面は、筐体２から離れるに従って低くなるように傾斜している。【選択図】        図１
2004357474.tif 000002
【特許請求の範囲】
【請求項１】
吸気口と第１の排気口とを有する筐体と、
前記筐体内に設けられた電力変換部と、
前記筐体内に設けられて、前記吸気口から取り入れられた気体を、前記電力変換部を介して前記第１の排気口へ流れるように送風して前記電力変換部を冷却するファンと、
前記筐体に連結された排気路形成部材とを備え、
前記排気路形成部材は、前記第１の排気口と連通して内部に排気路を形成すると共に、前記排気路内の気体を外部に排出する第２の排気口を有し、
前記排気路形成部材の上面は、前記筐体から離れるに従って低くなるように傾斜している、屋外設置パワーコンディショナ装置。
【請求項２】
前記第２の排気口は前記第１の排気口より下側に位置し、
前記第１の排気口の下端部に沿って、前記排気路に突出する第１の止水部材が設けられている、請求項１に記載の屋外設置パワーコンディショナ装置。
【請求項３】
前記排気路の前記第１の止水部材より下側に突出するように第２の止水部材が設けられ、
前記第２の止水部材は、前記第１の止水部材が設けられた面に対向する面に設けられている、請求項２に記載の屋外設置パワーコンディショナ装置。
【請求項４】
前記第２の止水部材は、前記排気路形成部材の上面に対して略直角を成すように傾斜している、請求項３に記載の屋外設置パワーコンディショナ装置。
【請求項５】
前記第２の排気口は、前記排気路形成部材の右側面および左側面にそれぞれ設けられており、
前記右側面の第２の排気口と前記第１の排気口の右端との間に形成される排気経路と、前記左側面の第２の排気口と前記第１の排気口の左端との間に形成される排気経路とを比較して、その距離が長い方の排気経路に位置する第２の止水部材の突出長さは、その距離が短い方の排気経路に位置する第２の止水部材の突出長さより長くなるように構成されている、請求項３または４に記載の屋外設置パワーコンディショナ装置。
【請求項６】
被着面に固定された排気路形成部材に対して前記筐体を係止することにより、筐体が被着面に取り付けられる、請求項１から５のいずれかに記載の屋外設置パワーコンディショナ装置。
【請求項７】
前記第１の排気口から排出された気体は、前記排気路形成部材の上面を構成する傾斜天板の下面に案内されて前記排気路の下部に導入される、請求項１から６のいずれかに記載の屋外設置パワーコンディショナ装置。
【発明の詳細な説明】
【０００１】
【発明の属する技術分野】
この発明は、独立した直流電源が発生する直流電力を交流電力に変換して、家庭用、事務用の一般交流負荷、または既存の商用電力系統に電力を供給する屋外設置パワーコンディショナ装置に関し、より詳しくは、屋外設置パワーコンディショナ装置の防水構造に関する。
【０００２】
【従来の技術】
太陽電池や燃料電池などは、二次電池などの他のエネルギー源を介在しなくても直流電源として動作し直流電力を出力するため、有害な物質を排出しないシンプルでクリーンなエネルギー源として知られている。そして、このような独立した直流電源から発生した直流電力を交流電力に変換し、一般交流負荷または既存の商用電力系統に電力を供給する装置として屋外設置パワーコンディショナ装置が用いられている。
【０００３】
このようなパワーコンディショナ装置としては、特許文献１に記載されたようなものがある。特許文献１に記載された、パワーコンディショナ装置は、筐体を備え、この筐体の背面には、排気口が設けられている。排気口からは、筐体内部の電源装置を冷却した冷却風が排出される。この筐体は、外壁面に取り付けられる壁掛け板を介して取り付けられる。このとき、壁掛け板と筐体の背面との間には間隔保持片が設けられている。これにより排気口と外壁面との間に隙間を形成して、排気口が外壁に塞がれるのを防止している。
【０００４】
【特許文献１】
特開平１１−１２２９４９号公報
【０００５】
【発明が解決しようとする課題】
上記パワーコンディショナ装置においては、冷却風を筐体の背面に設けた排気口から排出している。この排気口の周囲は外部に解放しているために、排気口から筐体の内部に雨水が浸入しやすいという問題がある。また、筐体の背面と外壁面との間に落ち葉などのゴミが堆積した場合には、排気口がゴミにより塞がれる恐れがある。
【０００６】
したがって、この発明は、上記課題を解決するためになされたものであり、排気路を確実に確保することができると共に、その内部への雨水の浸入を防止することができる、屋外設置パワーコンディショナ装置を提供することを目的とする。
【０００７】
【課題を解決するための手段】
この発明に基づいた屋外設置パワーコンディショナ装置に従えば、吸気口と第１の排気口とを有する筐体と、上記筐体内に設けられた電力変換部と、上記筐体内に設けられて、上記吸気口から取り入れられた気体を、上記電力変換部を介して上記第１の排気口へ流れるように送風して上記電力変換部を冷却するファンと、上記筐体に連結された排気路形成部材とを備えている。また、上記排気路形成部材は、上記第１の排気口と連通して内部に排気路を形成すると共に、上記排気路内の気体を外部に排出する第２の排気口を有している。上記排気路形成部材の上面は、上記筐体から離れるに従って低くなるように傾斜している。
【０００８】
この構成によると、排気路形成部材により、筐体に設けた第１の排気口からの排気路を確実に確保することができる。また、この排気路形成部材により、第１の排気口への雨水などの浸入を防止することができる。さらに、排気路形成部材の上面は、筐体から離れるにしたがって低くなるように傾斜している。これにより、雨水が排気路形成部材の上面に溜まらずに、速やかに筐体と反対側に流れ落ちるようにすることができる。排気路形成部材と筐体との間に繋ぎ目が存在する場合でも、繋ぎ目からの雨水の浸入を抑制することができる。これらにより、排気路を確保しながら、筐体内の電子機器を雨水から保護することができる。
【０００９】
上記屋外設置パワーコンディショナ装置において好ましくは、上記第２の排気口が上記第１の排気口より下側に位置し、上記第１の排気口の下端部に沿って、上記排気路に突出する第１の止水部材が設けられている。この構成によると、暴風雨などの際に、風にあおられた雨水が第２の排気口から排気路内に浸入した場合でも、第１の止水部材により筐体内への雨水の浸入を抑制することができる。
【００１０】
上記屋外設置パワーコンディショナ装置においてさらに好ましくは、上記排気路の上記第１の止水部材より下側に突出するように第２の止水部材を設け、上記第２の止水部材を、上記第１の止水部材が設けられた面に対向する面に設けている。この構成によると、第２の止水部材により、雨水が筐体内にさらに浸入しにくくなる。
【００１１】
上記屋外設置パワーコンディショナ装置においてさらに好ましくは、上記第２の止水部材は、上記排気路形成部材の上面に対して略直角を成すように傾斜している。この構成によると、第１の排気口から排出された、暖かくなった空気をスムーズに排気路内に案内することができる。
【００１２】
上記屋外設置パワーコンディショナ装置においてさらに好ましくは、上記第２の排気口は、上記排気路形成部材の右側面および左側面にそれぞれ設けられており、上記右側面の第２の排気口と上記第１の排気口の右端との間に形成される排気経路と、上記左側面の第２の排気口と上記第１の排気口の左端との間に形成される排気経路とを比較して、その距離が長い方の排気経路に位置する第２の止水部材の突出長さは、その距離が短い方の排気経路に位置する第２の止水部材の突出長さより長くなるように構成されている。この構成によると、第２の止水部材の排気効率に与える悪影響を最小限にしながら、筐体内への雨水の浸入を抑制することができる。
【００１３】
上記屋外設置パワーコンディショナ装置においてさらに好ましくは、被着面に固定された排気路形成部材に対して上記筐体を係止することにより、上記筐体が被着面に取り付けられる。この構成によると、排気路形成部材により筐体を被着面に取り付けることができ、排気路の確保と、筐体の取り付けを同時におこなうことができる。
【００１４】
上記屋外設置パワーコンディショナ装置においてさらに好ましくは、上記第１の排気口から排出された気体は、上記排気路形成部材の上面を構成する傾斜天板の下面に案内されて上記排気路の下部に導入される。この構成によると、傾斜天板により、排気をスムーズに排気路の下部に導入することができる。また、このようなガイド部材を別途設ける場合に比べて、部材点数を削減することができる。
【００１５】
【発明の実施の形態】
以下、本実施の形態における屋外設置パワーコンディショナ装置について、図を参照しながら説明する。図１は、本実施の形態における屋外設置パワーコンディショナ装置の構造を示す、正面側から見た斜視図である。
【００１６】
図１を参照して、屋外設置パワーコンディショナ装置１は、筐体としての外箱２と、外箱２の正面側に設けられている開口部を覆う蓋４と、排気路形成部材３とを備える。排気路形成部材３が建造物外壁に取付けられて、屋外設置パワーコンディショナ装置１が屋外に設置される。外箱２の底面２ａには吸気口５が、外箱２の背面２ｂには第１の排気口６が設けられている。吸気口５は、複数列の矩形の孔により形成されている。排気路形成部材３は、外箱２の背面２ｂ側に第１の排気口６と内部が連通するように設けられており、その両側面には上下方向に延びる長孔状の第２の排気口７が設けられている。
【００１７】
図２は、図１中のＩＩ−ＩＩ線上に沿った断面図である。図２を参照して、外箱２の底面２ａの内部側には、吸気口５を覆うようにして防水カバー１１が設けられている。防水カバー１１の上面には、開口部１２が設けられている。外箱２の背面２ｂには、防水カバー１１の上方に位置するようにヒートシンク１３が設けられている。ヒートシンク１３内は、上下に延びる複数の羽根部２１によって複数に分割されている。ヒートシンク１３の前面には、太陽電池などから出力された直流電力を交流電力に変換する電力変換部１４が設けられている。
【００１８】
外箱２の上面２ｃに沿って、ファン支持部１８が設けられており、その底面には孔１９が複数形成されている。なお、ファン支持部１８の底面は、外箱２の背面２ｂに向かって低くなるように傾斜している。ファン支持部１８の内部は、外箱２の背面２ｂに設けられた第１の排気口６と連通している。ヒートシンク１３に面したファン支持部１８の傾斜している底面には一対のファン１５ａ，１５ｂが設けられており、それぞれがファン支持部１８に形成された孔１９と対向している。ファン１５の底面には孔１７が形成されている。ファン１５の内部には回転羽根１６が設けられており、回転羽根１６はファン１５内の図示しないモータと連結されている。なお、第１の排気口６は、図２において中央部から右側端部にかけて設けられており、左側端部近傍には設けられていない。
【００１９】
図３は、図１中のＩＩＩ−ＩＩＩ線上に沿った断面図である。図３を参照して、防水カバー１１の上面には、ヒートシンク１３の下方に向って延びる吸気ガイド３３が形成されている。電力変換部１４の中で最も発熱するパワー素子３４がヒートシンク１３の表面に接するように設けられている。
【００２０】
ファン支持部１８の底面は傾斜しており、その底面とファン１５のファン接続部分３５とが当接する。ファン１５は、ファン支持部１８の底面前方にある凸部２０をファン接続部分３５にある図示しないスリット部に挿入し、ファン接続部分３５の両側の下端を外箱２の背面２ｂにねじ３６ａによって止め付けることで固定されている。ねじ３６ａはねじ頭が外箱２の開口部３１に向くように設けられている。
【００２１】
ファン１５内の回転羽根１６は、回転羽根１６の回転軸がファン支持部１８の底面に直角に交わるように設けられている。ファン１５内の回転羽根１６が駆動されることによって、矢印４６に示す方向に空気が送風される。矢印４６の方向と、ファン１５の回転羽根１６に回転軸の方向とは一致している。ファン１５によってファン支持部１８内に導入された空気は矢印４７に示す方向に流れて、第１の排気口６から外箱２の外部に排出される。この場合、矢印４６に示す方向と矢印４７に示す方向とで形成される角度αが７０°となるように、ファン支持部１８の底面の傾斜が形成している。これにより、外箱２の内部の空気を効率良く排気口６に送ることができる。
【００２２】
外箱２の背面２ｂには、上部引っ掛け部３７、中央部引っ掛け部４０および下部ねじ止め部３８が設けられている。排気路形成部材３のこれらに対応する位置にはそれぞれ、上部被係止部５２、中央被係止部５３および下部被係止部５４が設けられている。これらを係止およびねじ止めして、外箱２を排気路形成部材３に固定する。これにより、外箱２の背面２ｂと排気路形成部材３の内面とで囲まれる排気路５１が形成される。また、このように外箱２を排気路形成部材３に固定することで、屋外設置パワーコンディショナ装置１が暴風雨などにより排気路形成部材３から脱落することを防止できる。
【００２３】
外箱２の背面２ｂの上部に設けられている第１の排気口６の下端部に沿って第１の止水部材８が設けられている。第１の止水部材８は、第１の排気口６の一端から他端に亙るように連なっている。また第１の止水部材８は、第１の排気口６の開口面に直角、言い換えると外箱２の背面２ｂに直角を成し、排気路５１の内部に突出するように設けられている。
【００２４】
図４は、排気路形成部材の構造を示し、（ａ）は正面図、（ｂ）は側面図、（ｃ）は底面図、（ｄ）は上面図である。排気路形成部材３の上面を構成する傾斜天板１０は、排気路形成部材３の背面板３ａに対して鈍角を成して傾斜するように、背面板３ａの上端部を切り起こすことで構成されている。これにより、排気路形成部材３を外箱２に取り付けたとき、その上面をなす傾斜天板１０の表面が、外箱２から離れるほど低くなるように傾斜する。また傾斜天板１０の上端部に連続して、上部被係合部５２が設けられている。
【００２５】
排気路形成部材３の側面板３ｂおよび底面板３ｃは、排気路形成部材３の背面板３ａの端部を直角に切り起こすことで構成されている。排気路形成部材３の両側面板３ｂにはそれぞれ、第２の排気口７が設けられている。排気路形成部材３の背面板３ａには、第２の排気口７より上側に位置するように、第２の止水部材９が設けられている。第２の止水部材９は、排気路５１に斜め下方向に向かって突出しており、傾斜天板１０と直交する方向に設けられている。また、第２の止水部材９は、その突出長さが位置によって異なる。第１の排気口６が設けられていない位置に略対応する、図４（ａ）において左寄りの一部の突出長さが、他の部分より長くなるように構成されている。排気路形成部材３の背面板３ａには中央被係合部５３が設けられ、底面板３ｃには下部被係合部５４が設けられている。
【００２６】
図５は、本実施の形態における屋外設置パワーコンディショナ装置を用いたシステムの回路図である。図５を用いて、屋外設置パワーコンディショナ装置を用いたシステムについて簡単に説明する。
【００２７】
図５を参照して、電力変換部１４が外箱２の内部に設けられている。電力変換部１４は、スイッチング素子などの主回路部品、およびマイコンなどの制御回路部品から構成されている。電力変換部１４には、外部の直流電源５５、商用電力系統５７および家庭内電気負荷５６からの配線が接続されている。
【００２８】
このように構成された屋外設置パワーコンディショナ装置を用いたシステムでは、直流電源５５から出力された直流電力を、電力変換部１４を介して周波数５０／６０Ｈｚの交流電力に変換することができる。そしてその交流電力を商用電力系統５７または家庭内電気負荷５６に供給することができる。
【００２９】
図６は、図１中のＶＩ−ＶＩ線上に沿った断面図である。図６を用いて、屋外設置パワーコンディショナ装置１の冷却構造について説明する。
【００３０】
防水カバー１１は断面が長方形の箱型形状を有しており、ヒートシンク１３の下方近傍に位置するように開口部１２が形成されている。また、吸気口５には、外箱２の内部側に向けて傾斜板５ａが形成されており、これにより暴風雨時などに吸気口５から外箱２内に雨水が浸入することを防止することができる。
【００３１】
ファン１５内の回転羽根１６を駆動させることによって、外部の冷たい空気が、吸気口５から外箱２の内部に取り入れられる。取り入れられた空気は防水カバー１１の内部に形成された空間を通り開口部１２から排出される。このとき空気は、防水カバー１１に形成された吸気ガイド３３に案内されて、ヒートシンク１３内に形成された空間６３へと進む。
【００３２】
空間６３はヒートシンク１３内に形成された上下に延びる羽根部２１（図２を参照）によって複数に分かれており、空気はこの各々の空間６３を通過する。パワー素子３４で発生する熱はヒートシンク１３の羽根部２１に伝導している。ヒートシンク１３内の羽根部２１に接触しながら冷たい空気が通過することによって、その羽根部２１の熱が奪われる。その結果、電力変換部１４は冷却されることとなる。
【００３３】
ヒートシンク１３内の空間６３を通過するときに羽根部２１との熱交換で熱せられた空気は、ヒートシンク１３の上方に排出される。この空気はファン１５に吸い込まれて、ファン１５の孔１７およびファン支持部１８の孔１９を通過する。そして、ファン支持部１８内の空間６４に導かれたのち、第１の排気口６から排出される。このとき、ファン１５を通過した空気は回転羽根１６の軸方向に沿って進む。上述のようにファン１５は傾斜して設けられているため、角度αが７０°の場合ではファン支持部１８の上面に当たった空気の約６０％が、第１の排気口６側の矢印６７に示す方向に流れ、残りの約４０％が第１の排気口６とは反対側の矢印６６に示す方向に流れてファン支持部１８内を循環する。これにより、外箱２内部の空気を効率良く第１の排気口６に送ることができる。
【００３４】
第１の排気口６から排出された空気は、矢印で示すように、傾斜天板１０の下面に沿って進み、排気路５１の下方に導かれる。そして、第１の止水部材８および第２の止水部材９が突出していることで屈曲した排気路５１を経て、第２の排気口７から屋外設置パワーコンディショナ装置１の外部に排出される。第２の止水部材９は、傾斜天板１０の下面と直交する方向に設けられているので、傾斜天板１０に案内された空気をスムーズに流通させることができる。このように、傾斜天板１０、第１の止水部材８および第２の止水部材９が、排気路５１において、空気を導く排気ガイドの役割を果たす。
【００３５】
排気路５１は、排気路形成部材３および外箱２の背面２ｂにより囲まれて形成されるので、屋外設置パワーコンディショナ装置１施工時の施工不良や、取り付け後のゴミの堆積などの外的要因などに影響されることなく、排気路５１が確実に確保される。このように、屋外設置パワーコンディショナ装置１内で冷却用の空気を効率良く循環させ電力変換部１４の強制空冷を行なうことにより、電力変換部１４の温度上昇を抑えることができる。
【００３６】
図７は、屋外設置パワーコンディショナ装置の構造を示す、背面側から見た斜視図である。図７を参照して、屋外設置パワーコンディショナ装置１は、排気路形成部材３を建築物の外壁に取り付けることで、屋外に設置される。このように、排気路形成部材３は、取付け板としての役割を果たす。外箱２に設けられた第１の排気口６は、この排気路形成部材３に覆われる。これにより雨水が第１の排気口６から外箱２の内部に浸入するのを防いでいる。
【００３７】
また、排気路形成部材３の上面が、外箱２から離れるにしたがって、言い換えると、屋外設置パワーコンディショナ装置が取り付けられた外壁に近づくにしたがって、低くなるように傾斜している。豪雨時などにおいても、雨水が傾斜天板１０の上面に溜まることなく外壁側に流れ落ちる。これにより、図２および図６で示す、上部引っ掛け部３７と上部被係合部５２との隙間から、屋外設置パワーコンディショナ装置１の内部に雨水が浸入するのを防止することができる。
【００３８】
図７を参照して、左側面に位置する第２の排気口７ａと第１の排気口６との間の最短の排気経路は、この第２の排気口７ａと、第１の排気口６の左側端部との間に形成される。同様に、右側面に位置する第２の排気口７ｂと第１の排気口６との間に形成される最短の排気径路は、この第２の排気口７ｂと第１の排気口６の右側端部との間に形成される。ここで、第２の排気口７は、第１の排気口６より下側に位置している。
【００３９】
嵐のような烈風が吹く暴風雨を想定すると、下側に位置する第２の排気口７から排気路５１内に浸入した雨水が、第１の排気口６から外箱２の内部に浸入することがあり得る。このとき図７において右側の第２の排気口７ｂから第１の排気口６への排気経路の方が、左側の第２の排気口７ａからの排気経路より長いために、雨水の浸入角度が浅くなる。また、第１の止水部材８は、第１の排気口６が形成されていない、図７において右側の部分には設けられていない。これらの要因により、右側面の第２の排気口７ｂからの雨水の浸入の可能性が高まる。
【００４０】
本実施の形態では、このような状況でも防水性を維持するため、右側面に位置する第２の排気口７ｂと第１の排気口６との間に形成される直線的な雨水の浸入経路を塞ぐように、ここに位置する第２の止水部材９の突出長さを長くしている。これにより、いずれの第２の排気口７から内部を覗いても、第１の排気口６は見えない。
【００４１】
このように構成することで、たとえば雨水が地面に当たって上方に跳ね返り、第２の排気口７から内部に浸入したとしても、第１の止水部材８および第２の止水部材９により第１の排気口６への雨水の浸入を防止することができる。同時に、必要に応じて第２の止水部材９の長さを設定しているので、排気路５１における第２の止水部材９の排気効率への悪影響を最小限にすることができる。
【００４２】
次に、上記の実施の形態の屋外設置パワーコンディショナ装置の効果をさらに明確にするため、屋外設置パワーコンディショナ装置の比較例について説明する。図８は比較例の屋外設置パワーコンディショナ装置の構造を示す、正面側から見た斜視図、図９は、図８中のＩＸ−ＩＸ線上に沿った断面図である。これらの図において、上記実施の形態に対応する部材には同一の参照番号を付している。
【００４３】
この比較例においては、排気路形成部材３の上面を水平に構成している。また、第１の排気口６から排出された空気を排気路５１の下部にスムーズに導くために、外箱２の背面２ｂに排気ガイド３９ａを取り付けている。
【００４４】
このように構成した場合には、排気路形成部材３の上面を水平にしているために、豪雨などの場合には、その上面に雨が溜まる可能性がある。その場合には、上部引っ掛け部３７と上部被係合部５２との間から、その雨水が排気路５１の内部に浸入する恐れがある。この浸入した雨水が、さらに第２の排気口７からの風にあおられて、第１の排気口６を経由して外箱２の内部に浸入する恐れがある。
【００４５】
これに対し、上記実施の形態においては、排気路形成部材３の上面を、外箱２から離れるにしたがって低くなるように傾斜させている。これにより、排気路形成部材３の上面を構成する傾斜天板１０上には雨水が溜まらず、外箱２と反対側に流れ落ちる。これにより、上部引っ掛け部３７と上部被係合部５２との間、すなわち外箱２と排気路形成部材３の接続部の隙間から雨水が内部に浸入することを防止することができる。
【００４６】
また、比較例においては、第１の排気口６の正面に排気ガイド３９ａを設けている。これに対し、本実施の形態においては、排気路形成部材３の上面を構成する傾斜天板１０を上記のように傾斜させたので、この傾斜天板１０の下面により第１の排気口６から排出された空気を排気路５１の下部に案内している。これにより、比較例の場合より部材点数を少なくすることができる。
【００４７】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００４８】
【発明の効果】
以上説明したように、この発明に従えば、屋外設置パワーコンディショナ装置の内部に取り込んだ空気を効率良く排気することができると共に、暴風雨時などにおいても、雨水が排気口から内部に浸入するのを防止することができる。
【図面の簡単な説明】
【図１】この発明に基づいた実施の形態における屋外設置パワーコンディショナ装置の構造を示す、正面側から見た斜視図である。
【図２】この発明に基づいた実施の形態における屋外設置パワーコンディショナ装置の構造を示す、図１中のＩＩ−ＩＩ線上に沿った断面図である。
【図３】この発明に基づいた実施の形態における屋外設置パワーコンディショナ装置の構造を示す、図１中のＩＩＩ−ＩＩＩ線上に沿った断面図である。
【図４】この発明に基づいた実施の形態における排気路形成部材の構造を示し、（ａ）は正面図、（ｂ）は側面図、（ｃ）は底面図、（ｄ）は上面図である。
【図５】この発明に基づいた実施の形態における屋外設置パワーコンディショナ装置を用いたシステムの回路図である。
【図６】この発明に基づいた実施の形態における屋外設置パワーコンディショナ装置の構造を示す、図１中のＶＩ−ＶＩ線上に沿った断面図である。
【図７】この発明に基づいた実施の形態における屋外設置パワーコンディショナ装置の構造を示す、背面側から見た斜視図である。
【図８】比較例の屋外設置パワーコンディショナ装置の構造を示す、正面側から見た斜視図である。
【図９】比較例の屋外設置パワーコンディショナ装置の構造を示す、図８中のＩＸ−ＩＸ線上に沿った断面図である。
【符号の説明】
１  屋外設置パワーコンディショナ装置、２  外箱（筐体）、３  排気路形成部材、５  吸気口、６  排気口、７  第２の排気口、８  第１の止水部材、９  第２の止水部材、１０  傾斜天板、１４  電力変換部、１５  ファン、５１  排気路。
【図１】
2004357474.tif 000003
【図２】
2004357474.tif 000004
【図３】
2004357474.tif 000005
【図４】
2004357474.tif 000006
【図５】
2004357474.tif 000007
【図６】
2004357474.tif 000008
【図７】
2004357474.tif 000009
【図８】
2004357474.tif 000010
【図９】
2004357474.tif 000011